(57)【特許請求の範囲】
【請求項１】
携帯ストラップの紐を通し取り付けるための、非ループの１本の紐は通すが該紐の結び目は通さない形態の紐通し孔を備えてなる携帯品であって、
前記携帯品が、携帯電話のケース、多機能携帯端末のケース、電子書籍表示端末のケース、携帯カメラのケース、携帯無線機のケース、携帯ゲーム機などの携帯電子機器の携帯電子機器用ケースであり、
前記結び目および前記紐あるいはいずれか一方を避難させるための退避凹部が形成されてなることを特徴とする携帯品。
【請求項２】
携帯ストラップの紐を通し取り付けるための、非ループの１本の紐は通すが該紐の結び目は通さない形態の紐通し孔を備えてなる携帯品であって、
前記携帯品が、携帯電話のケース、多機能携帯端末のケース、電子書籍表示端末のケース、携帯カメラのケース、携帯無線機のケース、携帯ゲーム機などの携帯電子機器の携帯電子機器用ケースであり、
前記携帯電子機器用ケースの前記紐通し孔が、複数設けられてなることを特徴とする携帯品。
【請求項３】
携帯ストラップの紐を通し取り付けるための、非ループの１本の紐は通すが該紐の結び目は通さない形態の紐通し孔を備えてなる携帯品であって、
前記携帯品が、携帯電話のケース、多機能携帯端末のケース、電子書籍表示端末のケース、携帯カメラのケース、携帯無線機のケース、携帯ゲーム機などの携帯電子機器の携帯電子機器用ケースであり、
前記紐通し孔に連通した、前記結び目を収納する結び目収納孔を設けたことを特徴とする携帯品。
【請求項４】
前記結び目収納孔の大きさが、前記紐にねじれが生じた場合に、前記結び目が該結び目収納孔の中で、前記ねじれのねじれ力によって該ねじれが解消されるように回る大きさであることを特徴とする請求項３記載の携帯品。
【請求項５】
携帯電話のケース、多機能携帯端末のケース、電子書籍表示端末のケース、携帯カメラのケース、携帯無線機のケース、携帯ゲーム機などの携帯電子機器の携帯電子機器用ケース、あるいは、携帯電話、多機能携帯端末、電子書籍表示端末、携帯カメラ、携帯無線機、携帯ゲーム機などの携帯電子機器に接着剤や粘着剤によって取付けられる紐通し孔付き物品であって、
前記紐通し孔付き物品は、非ループの１本の紐は通すが該紐の結び目は通さない形態の紐通し孔と、粘着剤や接着剤からなる取付け手段を設けてなる取付部と、を備えてなることを特徴とする紐通し孔付き物品。
【請求項６】
携帯電話のケース、多機能携帯端末のケース、電子書籍表示端末のケース、携帯カメラのケース、携帯無線機のケース、携帯ゲーム機などの携帯電子機器の携帯電子機器用ケース、あるいは、携帯電話、多機能携帯端末、電子書籍表示端末、携帯カメラ、携帯無線機、携帯ゲーム機などの携帯電子機器に接着剤や粘着剤によって取付けられる紐通し孔付き物品であって、
前記紐通し孔付き物品は、非ループの１本の紐は通すが該紐の結び目は通さない形態の紐通し孔と、この紐通し孔に連通した前記結び目を収納する結び目収納孔と、粘着剤や接着剤からなる取付け手段を設けてなる取付部と、を備えてなることを特徴とする紐通し孔付き物品。
【請求項７】
前記結び目収納孔の大きさが、前記紐にねじれが生じた場合に、前記結び目が該結び目収納孔の中で、前記ねじれのねじれ力によって該ねじれが解消されるように回る大きさであることを特徴とする請求項６記載の紐通し孔付き物品。
【発明の詳細な説明】
【技術分野】
【０００１】
本発明は、携帯品および紐通し孔付き物品に関する。
【背景技術】
【０００２】
従来、携帯ストラップの紐を通し取り付けるための紐通し孔（以下「ストラップホール」ともいう。）を有する携帯品が知られている。（例えば、特許文献１）
【先行技術文献】
【特許文献】
【０００３】
【特許文献１】特許第5174274号
【発明の概要】
【発明が解決しようとする課題】
【０００４】
上述した従来技術は、多くの場合、ループ紐を二つ折り二本形態で通すぎりぎりの大きさの孔形態であるために、折り部位が広がった状態では通し難いという欠点を有するものであった。
また、ループ紐はその固定されたループ形態によって、紐の長さが固定であるため、紐の長さを好みの長さにできないという欠点を有するものであった。
また、ループ紐はその固定されたループ形態によって、取り付けてある飾り物品、機能性物品などのアクセント物品の形態が、そのループを潜らせなければならない形態、大きさでなければならないという欠点を有するものであった。
また、アクセント物品が紐の軸に対して回ると該紐がよじれるという欠点を有するものであった。
【０００５】
携帯電話、携帯多機能端末（以下「スマートホン」ともいう。）、携帯テレビなどの携帯品は、軽量化、薄型化が進んでおり、厚さ５ｍｍ、２ｍｍも出現する可能性が大である。
しかるに、従来の携帯品のストラップホールは、紐を二つ折り合せにした二本合わせ状態で挿入するものであり、かつ、折れ孔、略直角の湾曲孔であるために、また、折り合せ紐は先端が紐の反発によって広がるので、通すのが容易にはできないことが生じるので、３ｍｍ程度の孔広さとされているものであった。
すなわち、携帯品の薄型化が３ｍｍ以下になると、紐を二つ折り合せで通す穴を設けることが、その強度から言っても、でき難いという問題をもつものであった。
【０００６】
本発明は以上のような従来技術の欠点に鑑み、紐の通し取付けが容易であり、紐の長さを好みの長さにして取り付けることができ、アクセントパーツの形態や大きさが紐に規制されないものとすることを可能にする携帯品および紐通し孔付き物品を提供することを第１の目的としている。
また、前記第１の目的に加えて、アクセント物品が紐の軸に対して回っても該紐がよじれないようすることを可能とする携帯品および紐通し孔付き物品を提供することを第２の目的としている。
また、前記第１の目的に加えて、３ｍｍ以下の薄型の携帯品でも携帯ストラップの紐を簡単に通すことができる紐通し孔を有し、且つ該紐通し孔強度が十分に得られる携帯品を提供することを第３の目的としている。
【課題を解決するための手段】
【０００７】
上記目的を達成するために、本発明は次に述べるような構成としている。
＜請求項１記載の発明＞
携帯ストラップの紐を通し取り付けるための、非ループの１本の紐は通すが該紐の結び目は通さない形態の紐通し孔を備えてなる携帯品であって、
前記携帯品が、携帯電話のケース、多機能携帯端末のケース、電子書籍表示端末のケース、携帯カメラのケース、携帯無線機のケース、携帯ゲーム機などの携帯電子機器の携帯電子機器用ケースであり、
前記結び目および前記紐あるいはいずれか一方を避難させるための退避凹部が形成されてなることを特徴とする携帯品である。
【０００８】
「携帯品」とは、携帯電話、多機能携帯端末（スマートホンなど）、電子書籍表示端末、携帯カメラ、携帯無線機、携帯ゲーム機などの携帯電子機器、携帯電話のケース、多機能携帯端末のケース、電子書籍表示端末のケース、携帯カメラのケース、携帯無線機のケース、携帯ゲーム機などの携帯電子機器のケース、財布、ポーチ、バックなどである。
【０００９】
＜請求項２記載の発明＞
携帯ストラップの紐を通し取り付けるための、非ループの１本の紐は通すが該紐の結び目は通さない形態の紐通し孔を備えてなる携帯品であって、
前記携帯品が、携帯電話のケース、多機能携帯端末のケース、電子書籍表示端末のケース、携帯カメラのケース、携帯無線機のケース、携帯ゲーム機などの携帯電子機器の携帯電子機器用ケースであり、
前記携帯電子機器用ケースの前記紐通し孔が、複数設けられてなることを特徴とする携帯品である。
【００１０】
＜請求項３記載の発明＞
携帯ストラップの紐を通し取り付けるための、非ループの１本の紐は通すが該紐の結び目は通さない形態の紐通し孔を備えてなる携帯品であって、
前記携帯品が、携帯電話のケース、多機能携帯端末のケース、電子書籍表示端末のケース、携帯カメラのケース、携帯無線機のケース、携帯ゲーム機などの携帯電子機器の携帯電子機器用ケースであり、
前記紐通し孔に連通した、前記結び目を収納する結び目収納孔を設けたことを特徴とする携帯品である。
【００１１】
＜請求項４記載の発明＞
前記結び目収納孔の大きさが、前記紐にねじれが生じた場合に、前記結び目が該結び目収納孔の中で、前記ねじれのねじれ力によって該ねじれが解消されるように回る大きさであることを特徴とする請求項３記載の携帯品である。
【００１２】
＜請求項５記載の発明＞
携帯電話のケース、多機能携帯端末のケース、電子書籍表示端末のケース、携帯カメラのケース、携帯無線機のケース、携帯ゲーム機などの携帯電子機器の携帯電子機器用ケース、あるいは、携帯電話、多機能携帯端末、電子書籍表示端末、携帯カメラ、携帯無線機、携帯ゲーム機などの携帯電子機器に接着剤や粘着剤によって取付けられる紐通し孔付き物品であって、
前記紐通し孔付き物品は、非ループの１本の紐は通すが該紐の結び目は通さない形態の紐通し孔と、粘着剤や接着剤からなる取付け手段を設けてなる取付部と、を備えてなることを特徴とする紐通し孔付き物品である。
【００１３】
＜請求項６記載の発明＞
携帯電話のケース、多機能携帯端末のケース、電子書籍表示端末のケース、携帯カメラのケース、携帯無線機のケース、携帯ゲーム機などの携帯電子機器の携帯電子機器用ケース、あるいは、携帯電話、多機能携帯端末、電子書籍表示端末、携帯カメラ、携帯無線機、携帯ゲーム機などの携帯電子機器に接着剤や粘着剤によって取付けられる紐通し孔付き物品であって、
前記紐通し孔付き物品は、非ループの１本の紐は通すが該紐の結び目は通さない形態の紐通し孔と、この紐通し孔に連通した前記結び目を収納する結び目収納孔と、粘着剤や接着剤からなる取付け手段を設けてなる取付部と、を備えてなることを特徴とする紐通し孔付き物品である。
【００１４】
＜請求項７記載の発明＞
前記結び目収納孔の大きさが、前記紐にねじれが生じた場合に、前記結び目が該結び目収納孔の中で、前記ねじれのねじれ力によって該ねじれが解消されるように回る大きさであることを特徴とする請求項６記載の紐通し孔付き物品である。
【００１５】
【００１６】
【００１７】
【００１８】
【発明の効果】
【００１９】
【００２０】
【００２１】
【００２２】
【００２３】
【００２４】
【００２５】
【００２６】
＜請求項１記載の発明の効果＞
前記携帯品が、結び目を避難させるための退避凹部が形成されてなる携帯電子機器用ケースであるので、前記請求項１記載の発明と同様な効果を奏するとともに、結び目および紐あるいはいずれか一方が退避凹部に位置することによって、ケースと外ケースに収納した携帯端末機器との間に挟まれて、ケースを押して該ケースが歪んだり、ケースと携帯端末機器の間に隙間が形成されたり、ケースから携帯電子機器が外れやすくなったりということが、生じないようにできるという効果を奏する。
【００２７】
＜請求項２記載の発明の効果＞
結び目通し孔が複数設けられているので、結び目通し孔の内の複数の好みの箇所に紐を取り付けることができるという効果を奏する。
【００２８】
＜請求項３記載の発明の効果＞
【００２９】
＜請求項４記載の発明の効果＞
【００３０】
＜請求項５記載の発明の効果＞
【００３１】
＜請求項６記載の発明の効果＞
【００３２】
＜請求項７記載の発明の効果＞
【００３３】
【図面の簡単な説明】
【００３４】
【図１】本発明の実施例１を示す上方から見たおよび下方から見た使用状態斜視図。
【図２】本発明の実施例２を示す使用状態斜視図。
【図３】本発明の実施例３を示す使用状態斜視図および部分切断拡大端面図。
【図４】本発明の実施例４を示す斜視図（下図）および使用状態斜視図（上図）。
【図５】本発明の実施例５を示す使用状態斜視図（上図）および部品拡大断面図。
【図６】本発明の実施例６を示す斜視図（下図）および使用状態斜視図（上図）。
【図７】本発明の実施例７を示す使用状態斜視図。
【図８】本発明の実施例８を示す使用状態斜視図。
【発明を実施するための形態】
【００３５】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００３６】
図１に示す本発明の実施例１において、１はスマートホン９を上部開口２から押し入れて収納する携帯電子機器用ケース（以下「ケース」ともいう。）である携帯品である。
携帯品１は、携帯品本体３と、この携帯品本体３の底部に設けられた退避凹部４と、この退避凹部４の底部１０に設けられた貫通孔である、携帯ストラップ５の非ループの１本形態の紐６は通るがその結び目７は通らない形態の紐通し孔８ａ〜８ｉとを備えている。
退避凹部４は、結び目７および紐６が退避凹部４に位置することによって、携帯品１と該携帯品１に収納したスマートホン９との間に挟まれて、携帯品１を押して該携帯品１を歪めたり、携帯品１とスマートホン９の間に隙間を形成したり、携帯品１からスマートホン９が外れやすくなったり、などのことが生じないようになっている。
紐通し孔８ａ〜８ｉは、紐の太さが０．８ｍｍである場合は１．０ｍｍ〜１．３ｍｍ、紐の太さが１．０ｍｍである場合は１．２ｍｍ〜１．６ｍｍ程度が適当である。
【００３７】
携帯ストラップ５は、紐６、この紐６の一方側に形成された、何も設けない形態である紐のみ部１３、紐６の他方側に設けられたアクセントパーツ１２と、を備えてなる形態である。
底部１０の外から紐通し孔８ｆに紐のみ部１３の先端を通し、次に紐通し孔８ｅに通して底部１０の外に出し、次に紐通し孔８ｂに通して退避凹部４に出して突出紐部位１４を形成し、出た突出紐部位１４に好みの紐長さとなる部位に一回結びからなる結び目７を形成し、余計な部位は切り取り除き、先端が解れるようだったらライターの炎で炙り溶かす、接着剤を塗布するなどする。
【００３８】
携帯品１と携帯ストラップ５によって、紐６は通るがその結び目７は通らない形態の携帯品の結び目通し孔８ａ〜８ｉのいずれかに、紐のみ部１３を一方口から差し込み通して他方口から出して突出紐部位１４を形成し、突出紐部位１４に結び目７を形成し、結び目７が紐通し孔８ａ〜８ｉのいずかを通れないことによって、携帯品１に携帯ストラップ５を取り付ける携帯品に携帯ストラップの取付け方法を実現しているものである。
【００３９】
退避凹部は結び目専用のもの、紐専用のものなどでもよく、その設置個所は底壁、側壁のいずれでもよく、底壁と側壁に連通した形態でもよく、その形も動物、花、模様、ロゴなどをアレンジした凹形態でもよい。
【００４０】
また、退避凹部の無い形態も本願発明に含まれるものである。
【００４１】
紐通し孔が２本形態の紐は通すが、該２本形態の紐の結び目を通さない形態の２本紐通し孔とするのもよい。紐が２本であるので一本が擦り切れても他の１本が残る。
【実施例２】
【００４２】
図２に示す本発明の実施例２において、１５はスマートホンを上部開口２から押し入れて収納する、底部開口形態のケースである携帯品である。
携帯品１５は、携帯品本体１６と、携帯品１６の上部開口部２と、底部開口部１７と、左側壁部２０に設けられた貫通孔である、携帯ストラップ５の非ループの１本形態の紐６は通るがその結び目７は通らない形態の紐通し孔１８ａ〜１８ｄと、右側壁部２１に設けられた貫通孔である、携帯ストラップ５の非ループの１本形態の紐６は通るがその結び目７は通らない形態の紐通し孔１９ａ〜１９ｄと、を備えた形態となっている。
【００４３】
携帯ストラップを取り付ける左側壁２０にしている。紐通し孔１８ｄに外側から紐のみ部１３の先端を中に通し、次に紐通し孔１８ｃに通して外に出し、次に紐通し孔１８ｂに通して中に入れ突出紐部位１４とし、突出紐部位１４の好みの紐の長さとする適当なところに結び目７を形成し、余分な部位を切り除く。
【実施例３】
【００４４】
図３に示す本発明の実施例３において、２３はスマートホンを上部開口２から押し入れて収納する、底部開口形態のケースである携帯品である。
携帯品２３は、携帯品本体１６と、この携帯品本体１６の側壁に突出形態で設けた紐取付け部２４とからなっている。
【００４５】
紐取付け部２４は、貫通孔である携帯ストラップ５の非ループの１本形態の紐６は通るがその結び目７は通らない形態の紐通し孔２５と、この紐通し孔２５に連通した、結び目７を収納する結び目収納孔２６を備えている。
結び目収納孔２６の広さは、結び目７が障害なく自由に回り動くことができる大きさとなっている。よって、紐６にひねりが生じると結び目７はすぐに回って、該ひねりが解消される。
【実施例４】
【００４６】
図４に示す本発明の実施例４において、前記実施例３と主に異なる点は、紐取付け部を携帯品２８とは別体である、携帯品取付け部２４を有する紐通し孔付き物品２９によって、貼付けて取り付けるようにした点にある。
【００４７】
紐通し孔付き物品２９は、紐通し孔２５および結び目収納孔２６を有する紐取付け部２４と、紐取付け部２４の側面位設けられた携帯品に取り付ける部位であるプレート形態の取付け部３０と、この取付け部３０に設けられた粘着剤からなる取付手段３１とからなっている。取付け手段３１の表面は剥離紙３２によって覆われて提供される。
取付け部３０には取付け手段を設けず、後で接着剤からなる取付け手段を塗布して取り付ける形態もよい。
【実施例５】
【００４８】
図５に示す本発明の実施例５において、３４はスマートホンを上部開口２から押し入れて収納する携帯品である。
携帯品３４は、その側壁３５に携帯ストラップ５の紐６を取り付ける取付け部３６を備えている。
【００４９】
取付け部３６は、取付け部本体３７と、この取付け部本体３７に設けられて側壁３５のコード取付け孔４０に通し取り付けられた連結コード３８と、取付け部本体３７に形成された結び目７を収納する結び目収納孔４１と、この結び目収納孔４１に斜めに連通してなる、紐６は通すがその結び目７は通さない形態の紐通し孔３９とからなっている。
紐通し孔３９に紐のみ部１３を挿入し、結び目収納孔４１から外に出し、出た部位である突出紐部位１４に結び目７を形成し、余分な部位を切り除いて取り付ける。
結び目収納孔４１は、結び目７が自由に回ることができる広さであり、紐６がねじれた場合には、結び目７が回ってそのねじれが解消されるようになっている。
【実施例６】
【００５０】
図６に示す本発明の実施例６において、４３は紐通し孔付き物品であり、この紐通し孔付き物品４３は、スマートホン９や携帯電子端末機器のケースの側面および底面に取り付けられるＬ字形態の取付け部４２と、この取付け部４２に設けられた粘着剤あるいは接着剤からなる取付け手段４４と、取付け部４２の側面に設けられた紐取付け部４５と、この紐取付け部４５に貫通孔形態ないし止まり穴形態で設けられた紐６の結び目７を収納する結び目収納孔４６と、この結び目収納孔４６に連通形態で設けられた、非ループの１本紐形態の紐６は通すがその結び目７は通さない形態の、紐取付け部４５のそれぞれの面に設けられた紐通し孔４７ａ、４７ｂ、４７ｃとからなっている。
紐通し孔４７ａ、４７ｂ、４７ｃのいずれから、携帯ストラップ５の紐のみ部１３を通し、結び目収納孔４６から外に出し、その出た部位である突出紐部位１４に結び目７を形成し、余分な部位を切り除いて取り付ける。
結び目収納孔４６は、結び目７が自由に回ることができる広さであり、紐６がねじれた場合には、結び目７が回ってそのねじれが解消されるようになっている。
【実施例７】
【００５１】
図７に示す本発明の実施例７において、５０はスマートホンからなる携帯品であって、この携帯品５０は、携帯品本体５１と、この携帯品本体５１の側壁に設けられた紐６の結び目７を収納する結び目収納孔５２と、この結び目収納孔５２に連通形態で設けられた、非ループの１本紐形態の紐６は通すがその結び目７は通さない孔形態の紐通し孔５３と備えてなる形態である。結び目収納孔５２と紐通し孔５３とで紐取付け部５４を形成している。
紐通し孔５３から携帯ストラップ５の紐のみ部１３を通し、結び目収納孔５２から外に出し、その出た部位である突出紐部位１４に結び目７を形成し、余分な部位を切り除いて取り付ける。
結び目収納孔５２と紐通し孔５３の形成位置、孔向きは側壁、横向きに限られず、底面、上部面、上向き孔、突出部位への形成など多様な形態がある。
【実施例８】
【００５２】
図８に示す本発明の実施例８において、５６は厚みが５ｍｍ以下のスマートホンからなる携帯品であって、この携帯品５６は、携帯品本体５７と、この携帯品本体５７の側壁に設けられた非ループの１本紐形態の太さ０．８ｍｍの紐６は通すがその結び目７は通さない孔径１ｍｍの紐通し孔５８を備えてなる形態である。
紐通し孔５８の形成位置、孔向きは側壁、横向きに限られず、底面、上部面、上向き孔、突出部位への形成など多様な形態がある。
【００５３】
図１６−Ａ図は、紐通し孔５８の一方の側から携帯ストラップ５の紐のみ部１３を挿入し、他方の側に出し、その出た部位である突出紐部位１４に結び目７を形成し、余分な部位を切り除いて取り付ける。
【００５４】
図１６−Ｂ図は、紐通し孔５８の一方の側から携帯ストラップ５の紐のみ部１３を挿入し他方の側に出し、その出た部位を紐通し孔５８からは抜けない先端パーツ５９に取り付けている。
先端パーツ５９は、筒状のパーツ本体６０と、この筒状の貫通孔からなる結び目７を収納する結び目収納孔６１と、この結び目収納孔６１に連通した、非ループの１本紐形態の紐６は通すがその結び目７は通さない紐通し孔６２を備えてなる形態である。
紐通し孔６２から携帯ストラップ５の紐のみ部１３を通し、結び目収納孔６１から外に出し、その出た部位である突出紐部位１４に結び目７を形成し、余分な部位を切り除いて取り付ける。
【００５５】
付記発明は以上のような従来技術の欠点に鑑み、紐の通し取付けが容易であり、紐の長さを好みの長さにして取り付けることができ、アクセントパーツの形態や大きさが紐に規制されないものとすることを可能にする携帯品、携帯ストラップ、携帯ストラップの取付け方法並びに紐通し孔付き物品を提供することを第１の目的としている。
また、前記第１の目的に加えて、アクセント物品が紐の軸に対して回っても該紐がよじれないようすることを可能とする携帯品、携帯ストラップ、携帯ストラップの取付け方法並びに紐通し孔付き物品を提供することを第２の目的としている。
また、前記第１の目的に加えて、３ｍｍ以下の薄型の携帯品でも携帯ストラップの紐を簡単に通すことができる紐通し孔を有し、且つ該紐通し孔強度が十分に得られる携帯品を提供することを第３の目的としている。
上記目的を達成するために、付記発明は次に述べるような構成としている。
＜付記１記載の発明＞
携帯ストラップの紐を通し取り付けるための、非ループの１本の紐は通すが該紐の結び目は通さない形態の紐通し孔を備えてなることを特徴とする携帯品である。
「携帯品」とは、携帯電話、多機能携帯端末（スマートホンなど）、電子書籍表示端末、携帯カメラ、携帯無線機、携帯ゲーム機などの携帯電子機器、携帯電話のケース、多機能携帯端末のケース、電子書籍表示端末のケース、携帯カメラのケース、携帯無線機のケース、携帯ゲーム機などの携帯電子機器のケース、財布、ポーチ、バックなどである。
（１）他方側にアクセントパーツを有する、あるいは他方側にアクセントパーツを取り付けることが可能とされた、非ループの１本の紐の一方側（何もつけていない）をその一本紐状態のまま、非ループの１本の紐は通すが該紐の結び目は通さない形態の紐通し孔に通し、通し出た通し出し紐部位に結び目を形成することで、該結び目は前記紐通し孔から抜けることができないので、紐を携帯品に容易に取り付けることができるという効果を奏する。
「アクセントパーツ」とは、飾り物品、指掛け・腕掛けなどの機能性物品などである。
（２）前記（１）によって、結び目を形成する位置によって紐の長さを好みの長さにできるという効果を奏する。
最初は紐を長めとなる位置に結び目を形成して使用し、後で結び目を紐を切断して取り除き、再度紐を紐通し孔に通し新たな結び目を形成して、紐をより好みの長さにすることができるという効果を奏する。
（３）前記（１）によって、アクセントパーツの大きさ・形態とは関係なく、紐の一方側を携帯品に取り付けるので、アクセントパーツの大きさ・形態を自由なものにできるという効果を奏する。
（４）一般的に広く使用されている携帯ストラップの紐の太さは０．８ｍｍである。そうすると、０．８ｍｍの非ループの紐を１本通す紐通し孔は１ｍｍあれば十分である。
よって、紐通し孔の強度を勘案しても、１．５ｍｍ程度の薄形の携帯品であっても、１ｍｍの紐通し孔を設けることができるという効果を奏する。
また、紐を非ループの１本形態で紐通し孔に通すので、合せ紐のように孔内で広がる部位がなく、紐の通し操作が容易に円滑に行える。
＜付記２記載の発明＞
前記紐通し孔に連通した、前記結び目を収納する結び目収納孔を設けたことを特徴とする付記１記載の携帯品である。
付記１記載の発明と同様な効果を奏するとともに、結び目収納孔を設けているので、見えなくするあるいは目立たなくできるという効果を奏する。
＜付記３記載の発明＞
前記結び目収納孔の大きさが、前記紐にねじれが生じた場合に、前記結び目が該結び目収納孔の中で、前記ねじれのねじれ力によって該ねじれが解消されるように回る大きさであることを特徴とする付記２記載の携帯品である。
付記２記載の発明と同様な効果を奏するとともに、結び目収納孔が結び目が回る大きさであるので、アクセントパーツの回りで紐がよじれても、その紐のよじれ力によって結び目が回り該よじれが速やかに解消されるという効果を奏する。
＜付記４記載の発明＞
前記携帯品が、携帯電話のケース、多機能携帯端末のケース、電子書籍表示端末のケース、携帯カメラのケース、携帯無線機のケース、携帯ゲーム機などの携帯電子機器の携帯電子機器用ケースであって、
前記結び目および前記紐あるいはいずれか一方を避難させるための退避凹部が形成されてなることを特徴とする付記１記載の携帯品である。
前記携帯品が、結び目を避難させるための退避凹部が形成されてなる携帯電子機器用ケースであるので、前記付記１記載の発明と同様な効果を奏するとともに、結び目および紐あるいはいずれか一方が退避凹部に位置することによって、ケースと外ケースに収納した携帯端末機器との間に挟まれて、ケースを押して該ケースが歪んだり、ケースと携帯端末機器の間に隙間が形成されたり、ケースから携帯電子機器が外れやすくなったりということが、生じないようにできるという効果を奏する。
＜付記５記載の発明＞
前記携帯品が、携帯電話のケース、多機能携帯端末のケース、電子書籍表示端末のケース、携帯カメラのケース、携帯無線機のケース、携帯ゲーム機などの携帯電子機器の携帯電子機器用ケースであって、
前記携帯電子機器用ケースの前記結び目通し孔が、複数設けられてなることを特徴とする付記１〜４のいずれか１項に記載の携帯品である。
付記１〜４のいずれか１項に記載の発明と同様な効果を奏するとともに、結び目通し孔が複数設けられているので、結び目通し孔の内の複数の好みの箇所に紐を取り付けることができるという効果を奏する。
＜付記６記載の発明＞
前記紐通し孔が２本形態の紐は通すが、該２本形態の紐の結び目を通さない形態の２本紐通し孔であることを特徴とする付記１〜５のいずれか１項に記載の携帯品である。
「２本形態の紐」とは、一本の紐を折り合せで２本形態としたものを含むものである。
付記１〜５のいずれか１項に記載の発明と同様な効果を奏するとともに、紐が二本形態であるので、より切れ難く、一方が切れても他方が残るのでアクセントパーツを紛失する危険を少なくできるという効果を奏する。
＜付記７記載の発明＞
前記付記１〜５のいずれか１項に記載の携帯品に取り付ける携帯ストラップであって、
非ループの１本紐形態の紐と、
この紐の一方側に形成された、何も設けない形態である１本紐形態の紐のみ部と、
前記紐の他方側に設けられた、飾り物品、機能性物品などの物品と、を備えてなるとともに、
前記携帯品の非ループの１本紐は通るがその結び目は通らない形態の結び目通し孔に、前記前記紐のみ部を一方口から差し込み通して他方口から出して突出紐部位を形成し、前記突出紐部位に結び目を形成し、該結び目が前記紐通し孔を通れないことによって、前記携帯品に取り付けることができることを特徴とする携帯ストラップである。
前記付記１〜５のいずれか１項に記載の携帯品に取り付ける携帯ストラップであって、１本紐形態の紐の一方側は紐のみ部とされているので、付記１〜５に記載の携帯品の紐通し孔に通し、通し出し紐部位に結び目を形成することで、簡単に取り付けることができるという効果を奏する。
また、結び目を形成する位置によって、紐の長さを好みの長さにできるという効果を奏する。
また、携帯品への紐の取付けは他方側に設けられたアクセントパーツとは関係ないので、アクセントパーツの大きさ・形態は自由にできるという効果を奏する。
＜付記８記載の発明＞
前記アクセントパーツが、前記紐の他方の側を通し取り付けるための、非ループの１本の紐は通すが該紐の結び目は通さない形態のパーツ側紐通し孔を設けてなることを特徴とする付記７記載の携帯ストラップである。
前記アクセントパーツが、非ループの１本の紐は通すが該紐の結び目は通さない形態のパーツ側紐通し孔を設けているので、傷んだ紐を新品の紐に変える、長さの違う紐に変える、色の違う紐に変えるなど、紐を簡単に変えることができるという効果を奏する。
＜付記９記載の発明＞
前記紐通し孔に連通した、前記結び目を収納する結び目収納孔を設けたことを特徴とする付記８記載の携帯ストラップである。
付記８記載の発明と同様な効果を奏するとともに、結び目収納孔に結び目を隠すことができるという効果を奏する。
＜付記１０記載の発明＞
付記１〜６のいずれか１項に記載の携帯品に、紐、この紐の一方側に形成された、何も設けない形態である紐のみ部、前記紐の他方側に設けられたアクセントパーツとを備えてなる携帯ストラップを取り付ける取付け方法であって、
前記紐は通るがその結び目は通らない形態の前記携帯品の結び目通し孔に、前記紐のみ部を一方口から差し込み通して他方口から出して突出紐部位を形成し、前記突出紐部位に結び目を形成し、該結び目が前記紐通し孔を通れないことによって、前記携帯品に前記携帯ストラップを取り付けることを特徴とする携帯品に携帯ストラップを取付け方法である。
「アクセントパーツ」とは、飾り物品、指掛け・腕掛けなどの機能性物品などである。
付記１〜６のいずれか１項に記載の携帯品に携帯ストラップを取付け方法であって、前記紐は通るがその結び目は通らない形態の前記携帯品の結び目通し孔に、前記紐のみ部を一方口から差し込み通して他方口から出して突出紐部位を形成し、前記突出紐部位に結び目を形成し、該結び目が前記紐通し孔を通れないことによって、前記携帯品に前記携帯ストラップを取り付ける取付け方法であるので、前記付記１〜６のいずれか１項に記載の発明と同様な効果を奏する。
＜付記１１記載の発明＞
物品本体と、
この物品本体に設けられた、該物品本体を携帯品に取り付けるための取付け手段を有する取付け部、あるいは取付け手段を設けるための取付け部と、
前記物品本体に設けられた、携帯ストラップの非ループの１本の紐は通すが、その結び目は通さない形態の紐通し孔と、を備えてなることを特徴とする紐通し孔付き物品である。
「取付け手段」は、携帯品に取り付ける接着剤や粘着剤などの固着剤を塗布したり貼り付けたりするための部位、粘着剤が設けられた部位、携帯品に取り付けるための紐部材、携帯品の嵌合部に嵌合するための嵌合部位などである。
携帯ストラップの非ループの１本の紐は通すが、その結び目は通さない形態の紐通し孔と、を備えてなる紐通し孔付き物品を、携帯品の好みの箇所に取付け手段によって取り付けて、他方に何もつけていない非ループの一本紐の携帯ストラップを、前記一本紐を紐通し孔に通して出した部位に結び目を形成して、該結び目が抜けないことで、取り付けることができるという効果を奏する。
【産業上の利用可能性】
【００５６】
本発明は、携帯電話、携帯多機能電子端末（スマートホン）若しくはそれらのケースからなる携帯品を製造・販売する産業で利用される。
【符号の説明】
【００５７】
１：携帯品、
２：上部開口、
３：携帯品本体、
４：退避凹部、
５：携帯ストラップ、
６：紐、
７：結び目、
８ａ〜８ｉ：紐通し孔、
９：スマートホン、
１０：底部、
１２：アクセントパーツ、
１３：紐のみ部、
１４：突出紐部位、
１５：携帯品、
１６：携帯品本体、
１７：底部開口部、
１８ａ〜１８ｄ：紐通し孔、
１９ａ〜１９ｄ：紐通し孔、
２０：左側壁部、
２１：右側壁部、
２３：携帯品、
２４：紐取付け部、
２５：紐通し孔、
２６：結び目収納孔、
２８：携帯品、
２９：紐通し孔付き物品、
３０：取付け部、
３１：取付手段、
３２：剥離紙、
３４：携帯品、
３５：側壁、
３６：取付け部、
３７：取付け部本体、
３８：連結コード、
３９：紐通し孔、
４０：コード取付け孔、
４１：結び目収納孔、
４２：取付け部、
４３：紐通し孔付き物品、
４４：取付け手段、
４５：紐取付け部、
４６：結び目収納孔、
４７ａ、４７ｂ、４７ｃ：紐通し孔、
５０：携帯品、
５１：携帯品本体、
５２：結び目収納孔、
５３：紐通し孔、
５６：携帯品、
５７：携帯品本体、
５８：紐通し孔、
５９：先端パーツ、
６０：パーツ本体、
６１：結び目収納孔、
６２：紐通し孔。
【要約】      （修正有）【課題】紐の通し取付けが容易であり、紐の長さを好みの長さにして取り付けることができ、アクセントパーツの形態や大きさが紐に規制されないものとすることを可能にする携帯品を提供する【解決手段】携帯品１は、携帯品本体３と、この携帯品本体３の底部に設けられた退避凹部４と、この退避凹部４の底部１０に設けられた貫通孔である、携帯ストラップ５の非ループの１本形態の紐６は通るがその結び目７は通らない形態の紐通し孔８ａ〜８ｉとを備えている。【選択図】図１【図１】
0005647325.tif 000002
【図２】
0005647325.tif 000003
【図３】
0005647325.tif 000004
【図４】
0005647325.tif 000005
【図５】
0005647325.tif 000006
【図６】
0005647325.tif 000007
【図７】
0005647325.tif 000008
【図８】
0005647325.tif 000009